(57)【特許請求の範囲】
【請求項１】
情報処理装置に接続された光源制御装置であって、
互いに関連付けられた、カーソルの種類と領域の大きさを表す情報である領域情報との、複数の組み合わせを記憶するサイズ記憶手段と、
画面を表示する表示領域内の、複数の部分領域の照明の明るさをそれぞれ変更可能な光源を備えた表示装置に、前記情報処理装置が表示する画面中の、優先して表示する優先表示領域を検出する優先領域検出手段と、
前記情報処理装置から、１個以上の前記カーソルの各々に対して、前記画面中の前記カーソルの位置との前記カーソルの種類とを取得するカーソル情報取得手段と、
前記優先表示領域の少なくとも一部を含む前記部分領域の集まりを明領域に決定し、さらに、前記カーソルの各々に対して、前記カーソルの位置を含む、前記カーソルの種類に対応する前記領域情報に基づく範囲の前記部分領域の集合をカーソル領域に決定する範囲決定手段と、
前記光源を、前記明領域以外の領域の前記照明の明るさが、前記明領域の前記照明の明るさより暗くなり、前記カーソル領域内の前記照明の明るさが、前記カーソル領域に含まれない前記明領域の前記照明の明るさより明るくなるように制御する制御手段と
を含む光源制御装置。
【請求項２】
前記範囲決定手段は、前記カーソルの種類がテキストを入力するためのカーソルである場合、高さが前記カーソルの位置の文字の高さであり、幅が前記明領域の幅であり、前記カーソルを含む領域の、少なくとも一部を含む前記部分領域の集まりを前記カーソル領域に決定する
請求項１に記載の光源制御装置。
【請求項３】
情報処理装置に接続し、
互いに関連付けられたカーソルの種類と領域の大きさを表す情報である領域情報との、複数の組み合わせをサイズ記憶手段に記憶し、
画面を表示する表示領域内の、複数の部分領域の照明の明るさをそれぞれ変更可能な光源を備えた表示装置に、前記情報処理装置が表示する画面中の、優先して表示する優先表示領域を検出し、
前記情報処理装置から、１個以上の前記カーソルの各々に対して、前記画面中の前記カーソルの位置との前記カーソルの種類とを取得し、
前記優先表示領域の少なくとも一部を含む前記部分領域の集まりを明領域に決定し、さらに、前記カーソルの各々に対して、前記カーソルの位置を含む、前記カーソルの種類に対応する前記領域情報に基づく範囲の前記部分領域の集合をカーソル領域に決定し、
前記光源を、前記明領域以外の領域の前記照明の明るさが、前記明領域の前記照明の明るさより暗くなり、前記カーソル領域内の前記照明の明るさが、前記カーソル領域に含まれない前記明領域の前記照明の明るさより明るくなるように制御する
光源制御方法。
【請求項４】
前記カーソルの種類がテキストを入力するためのカーソルである場合、高さが前記カーソルの位置の文字の高さであり、幅が前記明領域の幅であり、前記カーソルを含む領域の、少なくとも一部を含む前記部分領域の集まりを前記カーソル領域に決定する
請求項３に記載の光源制御装置。
【請求項５】
情報処理装置に接続されたコンピュータを、
画面を表示する表示領域内の、複数の部分領域の照明の明るさをそれぞれ変更可能な光源を備えた表示装置に、前記情報処理装置が表示する画面中の、優先して表示する優先表示領域を検出する優先領域検出手段と、
前記情報処理装置から、１個以上のカーソルの各々に対して、前記画面中の前記カーソルの位置との前記カーソルの種類とを取得するカーソル情報取得手段と、
前記優先表示領域の少なくとも一部を含む前記部分領域の集まりを明領域に決定し、さらに、前記カーソルの各々に対して、当該カーソルの種類に対応する、互いに関連付けられた前記カーソルの種類と領域の大きさを表す情報である領域情報との複数の組み合わせを記憶するサイズ記憶手段に格納されている、前記領域情報に基づく範囲の、前記カーソルの位置を含む前記部分領域の集合をカーソル領域に決定する範囲決定手段と、
前記光源を、前記明領域以外の領域の前記照明の明るさが、前記明領域の前記照明の明るさより暗くなり、前記カーソル領域内の前記照明の明るさが、前記カーソル領域に含まれない前記明領域の前記照明の明るさより明るくなるように制御する制御手段と
して動作させる光源制御プログラム。
【請求項６】
前記コンピュータを、
前記カーソルの種類がテキストを入力するためのカーソルである場合、高さが前記カーソルの位置の文字の高さであり、幅が前記明領域の幅であり、前記カーソルを含む領域の、少なくとも一部を含む前記部分領域の集まりを前記カーソル領域に決定する前記範囲決定手段と、
して動作させる請求項５に記載の光源制御装置。
【発明の詳細な説明】
【技術分野】
【０００１】
本発明は光源制御装置、光源制御方法、及び光源制御プログラムに関し、特に、表示装置の明るさを制御する光源制御装置、光源制御方法、及び光源制御プログラムに関する。
【背景技術】
【０００２】
ＬＣＤ（Ｌｉｑｕｉｄ  Ｃｒｙｓｔａｌ  Ｄｉｓｐｌａｙ）のバックライトは、表示部の部位によらず同じ明るさでしか照明を行えない場合、明るい部分への照明と同じように、暗い画面が表示されている部分のように輝度が高い必要がない部分への照明も行う。しかし、輝度が必要がない部分への照明は、消費電力の無駄である。また、この場合、消費電力の削減を行うためには、バックライトは表示部全体の輝度を下げるよう照明を行うしかない。この場合、ユーザの表示の見やすさは犠牲になる。
【０００３】
特許文献１には、液晶バックライトに設けられた複数の点灯ブロックを個々に制御する構成において、各店頭ブロックを制御する回路の規模を低減した液晶バックライト駆動装置が記載されている。
【０００４】
特許文献２には、液晶の表示パネルの右辺外周及び左辺外周の、それぞれの複数のブロックに分割された光源で、表示パネルの照明を行う表示装置が記載されている。特許文献２の表示装置は、光源の光の強度をブロックごとに変更することで、画面を縦横両方向に分割した画面領域毎に、輝度を制御することができる。特許文献２には、情報処理装置が表示する画像データに基づく画面領域毎の輝度制御を行うことも記載されている。
【０００５】
特許文献３には、液晶表示パネルの側面に配置された、個別に明るさを変更することが可能な複数の光源によって、液晶表示パネルの照明を行う照明装置を備える表示装置が記載されている。特許文献３の照明装置は、表示パネルの上端部及び下端部に黒帯が表示される場合、黒帯の部分に対応する光源の照射光を、黒帯以外の部分に対応する光源の照射光暗くする。
【先行技術文献】
【特許文献】
【０００６】
【特許文献１】特開２００７−２２７２３４号公報
【特許文献２】特開２００８−２４２００９号公報
【特許文献３】特開２００４−２１２５０３号公報
【発明の概要】
【発明が解決しようとする課題】
【０００７】
特許文献１の技術は、液晶表示装置の表示内容によって、画面の部位毎の照明の明るさを変更することができない。
【０００８】
特許文献２及び３の技術は、画面上で、明るく表示する必要がない情報が表示されている部分であっても、その部分の画素に明るい画素が多ければ、その部分の照明を行う光源の明るさを明るくする。
【０００９】
本発明の目的は、ユーザが注目する領域の明るさを低下させずに、表示装置の消費電力を削減する光源制御装置を提供することにある。
【課題を解決するための手段】
【００１０】
本発明の光源制御装置は、情報処理装置に接続された光源制御装置であって、画面を表示する表示領域内の、複数の部分領域の照明の明るさをそれぞれ変更可能な光源を備えた表示装置に、前記情報処理装置が表示する画面中の、優先して表示する優先表示領域を検出する優先領域検出手段と、前記優先表示領域の少なくとも一部を含む前記部分領域の集まりを明領域に決定する範囲決定手段と、前記光源を、前記明領域以外の領域の前記照明の明るさが、前記明領域の前記照明の明るさより暗くなるように制御する制御手段とを含む。
【００１１】
本発明の光源制御方法は、情報処理装置に接続し、画面を表示する表示領域内の、複数の部分領域の照明の明るさをそれぞれ変更可能な光源を備えた表示装置に、前記情報処理装置が表示する画面中の、優先して表示する優先表示領域を検出し、前記優先表示領域の少なくとも一部を含む前記部分領域の集まりを明領域に決定し、前記光源を、前記明領域以外の領域の前記照明の明るさが、前記明領域の前記照明の明るさより暗くなるように制御するを含む。
【００１２】
本発明の光源制御プログラムは、情報処理装置に接続されたコンピュータを、画面を表示する表示領域内の、複数の部分領域の照明の明るさをそれぞれ変更可能な光源を備えた表示装置に、前記情報処理装置が表示する画面中の、優先して表示する優先表示領域を検出する優先領域検出手段と、前記優先表示領域の少なくとも一部を含む前記部分領域の集まりを明領域に決定する範囲決定手段と、前記光源を、前記明領域以外の領域の前記照明の明るさが、前記明領域の前記照明の明るさより暗くなるように制御する制御手段として動作させる。
【発明の効果】
【００１３】
本発明には、ユーザが注目する領域の視認性を低下させずに、消費電力を削減することができるという効果がある。
【図面の簡単な説明】
【００１４】
【図１】第１の実施形態の情報処理システム１００の構成を表すブロック図である。
【図２】光源２１の構成の例を表す図である。
【図３】分割された各領域とＬＥＤの対応の例を表す図である。
【図４】光源制御部２３の回路の例の模式図である。
【図５】第１の実施形態の光源制御装置１の動作を表すフローチャートである。
【図６】優先表示領域の例を表す図である。
【図７】優先表示領域と明領域の例を表す図である。
【図８】カーソルの種類と、領域の範囲の情報の例を表す図である。
【図９】優先表示領域内のカーソルと、そのカーソルのカーソル領域の例を表す図である。
【図１０】明領域の例を表す図である。
【図１１】光源２１の制御の例を表す図である。
【図１２】カーソル領域を含む明領域に対する光源２１の制御の例を表す図である。
【図１３】第２の実施形態の光源制御装置１Ａの構成を表すブロック図である。
【図１４】第２の実施形態の光源制御装置１Ａの動作を表すフローチャートである。
【発明を実施するための形態】
【００１５】
次に、本発明の第１の実施の形態について図面を参照して詳細に説明する。
【００１６】
図１は、本実施形態の情報処理システム１００の構成を表すブロック図である。
【００１７】
図１を参照すると、情報処理システム１００は、光源制御装置１と、表示装置２と、情報処理装置３を含む。
【００１８】
光源制御装置１は、優先領域検出部１０と、範囲決定部１１と、制御部１２と、カーソル情報取得部１３と、サイズ記憶部１４を含む。
【００１９】
表示装置２は、表示部２０と、光源２１と、表示制御部２２と、光源制御部２３を含む。
【００２０】
情報処理装置３は、画面制御部３０を含む。
【００２１】
まず、情報処理装置３について説明する。情報処理装置３は、例えばコンピュータ装置である。
【００２２】
画面制御部３０は、表示装置２に表示する画面を生成し、表示装置２に表示する画面の信号を送信する。また、画面制御部３０は、画面内における、情報処理装置３が優先して表示する領域の範囲を表す情報を、光源制御装置１の優先領域検出部１０に送信する。領域の範囲を表す情報は、画面内の座標で表されていればよい。情報処理装置３が優先して表示する領域は、例えば、情報処理装置３で動作するウィンドウシステムにおける、アクティブウィンドウの領域である。
【００２３】
一般に、ウィンドウシステムを使用するユーザは、データの閲覧や編集等の作業をアクティブウィンドウ上で行う。従って、アクティブウィンドウの領域は、優先して表示する必要性が高いと考えられる。一方、アクティブウィンドウ以外の領域は、アクティブウィンドウと比較して、優先して表示する必要性が低いと考えられる。
【００２４】
さらに、画面制御部３０は、カーソルの位置及び種類を表す情報を、光源制御装置１のカーソル情報取得部１３に送信する。カーソルの種類は、例えば、テキストを入力するためのカーソルと、マウスカーソルである。カーソルの位置は、画面内の座標で表されていればよい。画面制御部３０は、プロセッサと、プロセッサを制御するＯＳ（Ｏｐｅｒａｔｉｎｇ  Ｓｙｓｔｅｍ）及び表示用ドライバソフトウェアのいずれか一方又は双方により、構成されうる。
【００２５】
次に、表示装置２について説明する。表示装置２は、例えば、液晶ディスプレイである。
【００２６】
表示部２０は、例えば液晶パネルである。表示部２０は、画面制御部３０から送信された信号を画像として表示する。表示部２０の画像を表示する部分（表示領域）における位置と、画面制御部３０が生成する画面上の位置は、対応がとれていればよい。すなわち、表示部２０内の座標と、表示制御部２２が生成する画面内の座標は対応がとれていればよい。
【００２７】
光源２１は、例えば、液晶パネルの裏から光を照射するバックライトである。光源２１は、例えば、表示部２０の裏から光を照射する。本実施形態の光源２１は、表示部２０の表示領域内の複数の領域（部分領域）毎に、照射する光の明るさを変更することが可能な光源である。光源２１は、各部分領域を照射する光の明るさを、部分領域毎に個別に変更することが可能であればよい。光源２１は、各部分領域を照射する光の明るさを、全て独立に変更することができなくてもよい。
【００２８】
光源制御部２３は、制御部１２から受信する指示に従って、表示部２０に照射する光源２１の光の明るさを変更する。
【００２９】
図２は、光源２１の構成の例を表す図である。図２を参照すると、光源２１は、導光板と、導光板の隣接する２辺に平行に設置されている基板と、基板に取り付けられているＬＥＤ（Ｌｉｇｈｔ  Ｅｍｉｔｔｉｎｇ  Ｄｉｏｄｅ）を含む。図２の例では、ＬＥＤは、縦方向の基板に４個、横方向の基板に８個取り付けられている。ＬＥＤの数は、図２に記載されているＬＥＤの数に限られない。導光板は、導光板のいずれかの辺から光が入射した場合、導光板から放射する光の明るさが、光が入射した辺に垂直な方向の導光板の面内でほぼ均一になるよう、拡散させる。導光板は、液晶パネルの裏に重ねて取り付けられる。
【００３０】
光源制御部２３は、図２の各ＬＥＤの明るさを個別に設定できる。光源制御部２３は、複数のＬＥＤのグループ毎に、明るさの設定を行ってもよい。
【００３１】
図３は、表示部２０の各部分領域とＬＥＤの対応の例を表す図である。図３の例では、各部分領域の明るさは、その部分領域の下方にあるＬＥＤの明るさと、左方にあるＬＥＤの明るさの双方に依存する。例えば、図３の左上の隅の部分領域の明るさは、下辺の左端のＬＥＤの明るさと、左辺の上端のＬＥＤの明るさに依存する。
【００３２】
図４は、光源制御部２３の回路の例を表す模式図である。図４の例では、光源制御部２３のＬＥＤ駆動回路は、ＦＥＴ（Ｆｉｅｌｄ  Ｅｆｆｅｃｔ  Ｔｒａｎｓｉｓｔｏｒ、電界効果トランジスタ）を使用して、ＬＥＤに流れる電流を制御することにより、ＬＥＤの明るさを制御する。
【００３３】
なお、光源２１の構成は、図２の構成には限られない。光源２１は、例えば、液晶パネルの裏に、液晶パネルの各部分領域に対応させて配置された、個別に明るさを変更可能なＬＥＤと、ＬＥＤの光を対応する部分領域内で均等に拡散する拡散板によって構成されていてもよい。光源２１は、表示パネルの各部分領域の明るさを個別に制御可能に構成されていればよい。また、前述のように各部分領域の明るさは、完全に独立して制御可能でなくてもよい。
【００３４】
次に、光源制御装置１について説明する。
【００３５】
優先領域検出部１０は、画面内における、情報処理装置３が優先して表示する領域（優先表示領域）を検出する。優先領域検出部１０は、優先表示領域の範囲を表す情報を、情報処理装置３から取得すればよい。
【００３６】
カーソル情報取得部１３は、カーソルの位置及び種類を表す情報を、例えば、情報処理装置３の画面制御部３０から取得する。
【００３７】
範囲決定部１１は、情報処理装置３が優先して表示する領域（優先表示領域）を含む、明領域の範囲を決定する。範囲決定部１１は、例えば、優先表示領域の少なくとも一部を含む、前述の部分領域の集まりを、明領域にすればよい。範囲決定部１１は、各部分領域の範囲を表す情報を、あらかじめ保持していればよい。
【００３８】
制御部１２は、明領域外の表示領域の照明の明るさが、明領域内の照明の明るさより暗くなるよう、表示装置２の光源２１を制御する。
【００３９】
サイズ記憶部１４は、カーソルの種類と、領域の大きさの情報とを対応付けて、複数記憶する。
【００４０】
範囲決定部１１は、さらに、取得された各カーソルに対して、そのカーソルの位置と、そのカーソルの種類に対応付けられている領域の大きさを表す情報から、カーソルの位置を含む領域であるカーソル領域を決定する。
【００４１】
制御部１２は、表示装置２が表示する画面内の、カーソル領域に含まれる領域を除く、明領域外の領域の明るさが、明領域の明るさより暗くなるよう、光源２１を制御する。制御部１２は、光源制御部２３に制御のための信号を送信することで、光源２１を制御すればよい。
【００４２】
次に、本実施形態の動作について、図面を参照して詳細に説明する。
【００４３】
図５は、本実施形態の光源制御装置１の動作を表すフローチャートである。
【００４４】
光源制御装置１は、例えば、情報処理装置３からの指示により、図５の動作を始めればよい。情報処理装置３は、例えば、情報処理装置３に接続されたキーボードやマウスなどの図示しない入力装置へのユーザによる操作がなされなくなってから所定時間経過後に、光源制御装置１に動作開始の指示を送信すればよい。あるいは、情報処理装置３は、ユーザの指示により、光源制御装置１に動作開始の指示を送信してもよい。情報処理装置３は、起動時に、光源制御装置１に動作開始の指示を送信してもよい。
【００４５】
図５を参照すると、まず、優先領域検出部１０が、画面内における、情報処理装置３が優先して表示する領域（優先表示領域）を検出する（ステップＳ１０）。
【００４６】
優先領域検出部１０は、情報処理装置３が優先して表示する領域の範囲を表す情報を、情報処理装置３の画面制御部３０から取得すればよい。
【００４７】
領域の範囲を表す情報は、例えば、アクティブウィンドウの画面上における始点（例えば左上の点）と終点（例えば右下の点）の座標の組である。領域の範囲を表す情報は、アクティブウィンドウの範囲を特定できる情報であれば、他の情報であってもよい。優先表示領域は、アクティブウィンドウではなく、情報処理装置３がエラーメッセージやアラート情報を表示する領域であってもよい。
【００４８】
図６は優先表示領域の例を表す図である。
【００４９】
次に、カーソル情報取得部１３が、情報処理装置３が表示装置２に表示する画面内の、カーソルの位置を取得する（ステップＳ１１）。
【００５０】
カーソル情報取得部１３は、カーソルの位置と種類を表す情報を、例えば、情報処理装置３の画面制御部３０に要求すればよい。表示制御部２２は要求に従って、カーソルの位置と種類を表す情報を、カーソル情報取得部１３に送信すればよい。
【００５１】
カーソル情報取得部１３は、さらに、各カーソルの種類を取得する（ステップＳ１２）。
【００５２】
カーソルの種類は、例えば、テキストを入力するためのカーソルと、マウスカーソルである。カーソルがテキストを入力するためのカーソルである場合、カーソルの位置を表す情報は、例えば、カーソルの位置に対応する文字の領域の画面上における左上の座標である。カーソルがマウスカーソルである場合、カーソルの位置は、例えば、マウスカーソルの左上の座標である。カーソルの位置を表す情報は、カーソルの位置が特定できる情報であれば、他の情報であってもよい。
【００５３】
なお、カーソル情報取得部１３は、テキストを入力するためのカーソルが、例えばアクティブウィンドウである優先表示領域の、外部に存在する場合は、そのカーソルの情報を取得しなくてよい。また、カーソルが存在しない場合、光源制御装置１は、ステップＳ１１、ステップＳ１２、後述のステップＳ１４の動作を行わない。また、光源制御装置１は、カーソル領域の明るさの制御を行わなくてよい。例えば、光源制御装置１は、前述の動作開始の指示に加えてカーソル領域の明るさの制御を行わない指示を受信した場合、カーソル領域の明るさの制御を行わない。この場合も、光源制御装置１は、ステップＳ１１、ステップＳ１２、後述のステップＳ１４の動作を行わない。
【００５４】
次に、範囲決定部１１は、優先表示領域を含む、明領域の範囲を決定する（ステップＳ１３）。
【００５５】
前述のように、範囲決定部１１は、例えば、少なくとも一部に優先表示領域を含む、前述の表示部２０内の部分領域の集まりを、明領域にすればよい。範囲決定部１１は、各部分領域の範囲を表す情報を、あらかじめ保持していればよい。範囲決定部１１は、優先表示領域の少なくとも一部を含む部分領域を抽出し、抽出した各部分領域を明瞭域に決定すればよい。表示部２０内の座標と、画面内の座標は、対応付けられている。明領域の範囲は、いずれの座標系における座標で表されていてもよい。範囲決定部１１が決定する明領域の範囲は、画面内の座標で表されていればよい。範囲決定部１１が決定する明領域の範囲は、表示部２０内の座標で表されていてもよい。
【００５６】
図７は、優先表示領域と明領域の例を表す図である。
【００５７】
図７のメッシュ状の細線は、表示部２０の部分領域の境界線を表す。内側の太線の長方形が優先表示領域を表す。この場合、範囲決定部１１は、外側の太線の長方形を、明領域の範囲に決定する。
【００５８】
次に、範囲決定部１１は、各カーソルに対して、カーソルの位置と、カーソルの種類に対応する領域の範囲の情報から、カーソル領域を決定する（ステップＳ１４）。
【００５９】
範囲決定部１１は、カーソルの位置と、カーソルの種類に対応する領域の範囲の情報から、まず、カーソル位置を含む注目領域の範囲を決定すればよい。範囲決定部１１は、注目領域がカーソル全体を含むように、注目領域の範囲を決定してもよい。そして、範囲決定部１１は、注目領域の少なくとも一部を含む、前述の部分領域を抽出すればよい。範囲決定部１１は、抽出した各部分領域のまとまりを、カーソル領域に決定すればよい。
【００６０】
図８は、サイズ記憶部１４が記憶する、カーソルの種類と、領域の範囲を表す情報の例を表す図である。
【００６１】
図８の例では、カーソルの種類は、テキストを入力するためのカーソルを表す「テキスト」と、マウスカーソルを表す「マウス」である。注目領域の範囲を表す情報は、その情報とマウスカーソルの位置の情報から注目領域の範囲を決められる情報であれば、どのような情報であってもよい。図８の「テキスト」に対応する注目領域の範囲の情報は、明領域内の、高さがカーソルの位置における文字の高さであり、幅が優先領域の幅であり、始点がカーソルが存在する行の始点であることを表す。行の始点は、例えば優先領域の左端の、カーソル位置における文字の領域の最上部に対応する位置であればよい。行の始点は、例えば行頭の文字の左上の点であってもよい。
【００６２】
また、図８の「マウス」に対応する領域の範囲の情報は、高さと幅がともに２０画素であることを表す。また、この情報は、注目領域の始点が、カーソルの位置より１０画素分上方で、１０画素分左方であることを表す。さらに、この情報は、注目領域の範囲が明領域内に限られないことを表す。カーソル領域は、注目領域の少なくとも一部を含む部分領域の集まりである。範囲決定部１１は、図８の「マウス」に対応する領域の範囲の情報から、マウスカーソルの位置を中心とした、縦横２０画素の領域の少なくとも一部を含む、各部分領域のまとまりをカーソル領域に決定する。なお、カーソルの種類が「マウス」である場合、注目領域は及びその注目領域を含むカーソル領域は、明領域内に限られない。
【００６３】
図９は、優先表示領域内のカーソルと、そのカーソルのカーソル領域の例を表す図である。なお、図９の明領域の境界線の外側は、カーソル領域でも明領域でもない領域である。
【００６４】
次に、制御部１２が、表示装置２の表示部２０に表示される明領域内の明るさより、明領域外の明るさが暗くなるよう、光源２１を制御する（ステップＳ１５）。
【００６５】
図１０は、優先表示領域を含む明領域の例を表す図である。図１０の、白い領域にある実線で囲まれた領域が優先表示領域である。また、白い領域が明領域である。
【００６６】
図１１は、光源２１の制御の例を表す図である。明領域が図１０に例示する明領域である場合、制御部１２は、例えば、図１１のように、光源２１を構成するＬＥＤの明るさを設定する。図１１の基板に取り付けられているＬＥＤのうち、白い四角形で表されるＬＥＤは、オン状態（発光状態）である。黒い四角で表されるＬＥＤは、オフ状態（消灯状態）である。このことにより、図１１のように、明領域以外の領域の明るさは、明領域の明るさより、暗くなる。なお、オフ状態のＬＥＤは、必ずしも消灯していなくてもよい。オフ状態のＬＥＤは、オン状態のＬＥＤより電力の消費が少なければ、発光していてもよい。
【００６７】
制御部１２は、カーソル領域が存在する場合、カーソル領域が明領域より明るくなるよう制御する。
【００６８】
図１２は、カーソル領域を含む明領域に対する光源２１の制御の例を表す図である。図１２の各基板上にある、白、黒、又はグレーの四角形が、ＬＥＤを表す。
【００６９】
例えば、図９のように優先表示領域内にカーソルが存在する場合、制御部１２は、カーソルが存在する行を含むカーソル領域に対応するＬＥＤ（図１２の例では、上から３番目の白い四角形で表されるＬＥＤ）の明るさを最も明るくする。この例では、カーソル領域は、上から３番目の白い四角形で表されるＬＥＤに対応する。
【００７０】
また、制御部１２は、カーソル領域でない明領域に対応するＬＥＤ（図１２の例では、上から２、４、５番目のグレーの四角形で表されるＬＥＤ）の明るさを次に明るくする。この例では、カーソル領域以外の明領域は、上から２、４、５番目のグレーの四角形で表されるＬＥＤに対応する。また、図１２のグレーの四角形で表されるＬＥＤは、図１１のオン状態のＬＥＤに相当する。
【００７１】
そして、制御部１２は、明領域ではない領域に対応するＬＥＤ（図１２の例では、黒い四角形で表される、上から２から５番目以外のＬＥＤ）の明るさを最も暗くする。この例では、カーソル領域でも明領域でない領域は、上から２から５番目以外の黒い四角形で表されるＬＥＤに対応する。図１２の黒い四角形で表されるＬＥＤは、図１１のオフ状態のＬＥＤに相当する。
【００７２】
カーソルがマウスカーソルである場合、制御部１２は、マウスカーソルが存在する位置を含む所定の大きさの領域の明るさを、周囲の領域より明るくするよう、光源２１を制御すればよい。
【００７３】
制御部１２は、明瞭域の範囲及び明るさの情報を、光源制御部２３に送信すればよい。そして、光源制御部２３が、受信した明瞭域の範囲及び明るさの情報から、各ＬＥＤの明るさを、既存の任意の方法で決定すればよい。あるいは、制御部１２は、明瞭域及びカーソル領域の位置及び明るさから、各ＬＥＤの明るさを、既存の任意の方法で決定してもよい。そして、制御部１２は、各ＬＥＤの明るさを決定した明るさにする指示を、光源制御部２３に送信すればよい。光源制御部２３は、受信した指示に従って、各ＬＥＤの明るさを変更すればよい。
【００７４】
ステップＳ１５の光源２１の制御において、例えば光源２１が図３のような構成である場合のように、光源制御部２３が表示部２０の各部分領域の明るさを完全に独立には制御することができない場合がある。あるＬＥＤの明るさを変化させると、導光板によってそのＬＥＤの光が届く全ての部分領域の明るさが変化する。例えば、図３の最も左上のＬＥＤの光を変化させた場合、最上列の全ての部分領域の明るさが変化する。このような場合は、光源制御部２３は、カーソル領域が存在せず、明瞭域のみが存在するのであれば、明瞭域内が所定の明るさになるよう光源２１を制御すればよい。そのほかの領域の明るさは、一定でなくてよい。カーソル領域が存在する場合は、光源制御部２３は、カーソル領域内が所定の明るさになるよう制御すればよい。この場合、明瞭域の明るさは、明瞭域でもカーソル領域でもない領域の明るさより明るければ、一定でなくてよい。
【００７５】
以上で説明した本実施形態には、ユーザが注目する領域の視認性を低下させずに、消費電力を削減することができるという効果がある。
【００７６】
その理由は、優先領域検出部１０が検出した優先表示領域を含む明領域以外の領域に対応する部分の表示部２０の明るさが、明領域に対応する部分の表示部２０の明るさより暗くなるよう、制御部１２が光源２１を制御するからである。前述のように、優先表示領域は、明るく表示する必要性が高い領域である。優先表示領域は、例えば、ユーザがデータの閲覧や編集を行う領域であるアクティブウィンドウの領域である。一方、それ以外の領域は、優先表示領域より、明るく表示する必要性が低い。従って、明るく表示する必要性が低い領域の明るさだけを暗くすることにより、ユーザビリティを低下させずに消費電力を削減することができる。なお、カーソル領域が存在する場合は、明領域及びカーソル領域に含まれない領域の明るさが、明領域及びカーソル領域の明るさより暗くなるよう、制御部１２が光源２１を制御する。
【００７７】
また、本実施形態には、ユーザビリティを向上させることができるという第２の効果がある。
【００７８】
その理由は、カーソル情報取得部１３が取得したカーソルを含むカーソル領域の明るさが、カーソル領域以外の明るさより明るくなるよう、制御部１２が光源２１を制御するからである。このことにより、ユーザはカーソルの位置を素早く確認することができる。
【００７９】
次に、本発明の第２の実施形態について図面を参照して詳細に説明する。
【００８０】
図１３は、本実施形態の光源制御装置１Ａの構成を表すブロック図である。
【００８１】
図１３を参照すると、本実施形態の光源制御装置１Ａは、画面を表示する表示領域内の、複数の部分領域の照明の明るさをそれぞれ変更可能な光源２１を備えた表示装置２に、情報処理装置３が表示する画面中の、優先して表示する優先表示領域を検出する優先領域検出部１０と、優先表示領域の少なくとも一部を含む部分領域の集まりを明領域に決定する範囲決定部１１と、光源２１を、明領域以外の領域の照明の明るさが、明領域の照明の明るさより暗くなるように制御する制御部１２とを含む。
【００８２】
次に、本実施形態の動作について、図面を参照して詳細に説明する。
【００８３】
図１４は、本実施形態の光源制御装置１Ａの動作を表すフローチャートである。
【００８４】
図１４の各ステップは、図５の同じ番号のステップと同じであるので、説明を省略する。
【００８５】
以上で説明した本実施形態には、第１の実施形態の第１の効果と同じ効果がある。
【００８６】
光源制御装置１と、光源制御装置１Ａと、表示装置２と、情報処理装置３は、それぞれ、コンピュータ及びコンピュータを制御するプログラム、専用のハードウェア、又は、コンピュータ及びコンピュータを制御するプログラムと専用のハードウェアの組合せにより実現することができる。
【００８７】
優先領域検出部１０と、範囲決定部１１と、制御部１２と、カーソル情報取得部１３と、表示制御部２２と、光源制御部２３と、画面制御部３０は、例えば、プログラムを記憶する記録媒体からメモリに読み込まれた、各部の機能を実現するための専用のプログラムと、そのプログラムを実行するプロセッサにより実現することができる。また、サイズ記憶部１４は、コンピュータが含むメモリやハードディスク装置により実現することができる。あるいは、優先領域検出部１０と、範囲決定部１１と、制御部１２と、カーソル情報取得部１３と、サイズ記憶部１４と、表示部２０と、光源２１と、表示制御部２２と、光源制御部２３と、画面制御部３０の一部又は全部を、各部の機能を実現する専用の回路によって実現することもできる。
【００８８】
以上、実施形態を参照して本発明を説明したが、本発明は上記実施形態に限定されるものではない。本発明の構成や詳細には、本発明のスコープ内で当業者が理解し得る様々な変更をすることができる。
【符号の説明】
【００８９】
１、１Ａ    光源制御装置
２    表示装置
３    情報処理装置
１０    優先領域検出部
１１    範囲決定部
１２    制御部
１３    カーソル情報取得部
１４    サイズ記憶部
２０    表示部
２１    光源
２２    表示制御部
２３    光源制御部
３０    画面制御部
１００    情報処理システム
【図１】
0005624080.tif 000002
【図２】
0005624080.tif 000003
【図３】
0005624080.tif 000004
【図４】
0005624080.tif 000005
【図５】
0005624080.tif 000006
【図６】
0005624080.tif 000007
【図７】
0005624080.tif 000008
【図８】
0005624080.tif 000009
【図９】
0005624080.tif 000010
【図１０】
0005624080.tif 000011
【図１１】
0005624080.tif 000012
【図１２】
0005624080.tif 000013
【図１３】
0005624080.tif 000014
【図１４】
0005624080.tif 000015